(57)【要約】      （修正有）【課題】移動する標的の移動方向に合わせてスコープの向きを容易に変更可能とし、射撃競技の熟練者でなくても容易に狙点を設定することができるライフル銃スコープの支持装置を提供する。【解決手段】ライフル銃の上部に取り付けられ、上面にライフル銃の銃身に沿って延びる凹所８を有した下部体６と、凹所８に載置され、凹所８内にて基準となる支点回りに揺動可能で且つ上面にスコープ４が取り付けられる上部体１０と、凹所８内に凹所８の内側面１６に沿って移動可能に配置された移動駒１８であって、その移動に連動して上部体１０を揺動させるべく上部体１０と当接する当接面を有した移動駒１８と、移動駒１８を移動させる移動手段２２とを備えることを特徴とする。【選択図】図２
0003151908.tif 000002
【実用新案登録請求の範囲】
【請求項１】
ライフル銃のスコープを支持するスコープ支持装置において、
前記ライフル銃の上部に取り付けられ、上面に前記ライフル銃の銃身に沿って延びる凹所を有した下部体と、
前記凹所に載置され、前記凹所内にて基準となる支点回りに揺動可能で且つ上面にスコープが取り付けられる上部体と、
前記凹所内に前記凹所の内側面に沿って移動可能に配置された移動駒であって、その移動に連動して前記上部体を揺動させるべく前記上部体と当接する当接面を有した移動駒と、
前記移動駒を移動させる移動手段と
を備え、
前記移動手段により前記移動駒を移動させ、これに前記上部体を連動して揺動させることにより、前記銃身と前記スコープの軸線とのなす角度を可変することを特徴とするライフル銃のスコープ支持装置。
【請求項２】
前記上部体は、その先端部に前記移動駒に向けて突出し、且つ、前記移動駒の当接面に当接する突起部を有し、
前記当接面は階段状をなしている
ことを特徴とする請求項１記載のライフル銃のスコープ支持装置。
【請求項３】
前記当接面は、前記段間の段差に傾斜面部を有することを特徴とする請求項２記載のライフル銃のスコープ支持装置。
【考案の詳細な説明】
【技術分野】
【０００１】
本考案は、ライフル銃等に用いられるスコープの支持装置に係り、詳しくは、移動標的射撃に好適なライフル銃のスコープ支持装置に関する。
【背景技術】
【０００２】
従来から、競技種目の１つとして、射撃が知られている。この射撃競技の１つとして、標的が移動する移動標的射撃があり、この移動標的は、射撃者から見て５０ｍ離れている場合は２ｍ/ｓｅｃ、１００ｍ離れている場合は４ｍ/ｓｅｃの速度でそれぞれ左又は右に移動する。
ところで、ライフル銃から発射される弾丸は、飛距離が長くなるにつれて落下し、また風によって左右に流される。また、スコープで標的を確認してから引き金を引くまでの反応時間には個人差があり、このような飛距離、風、反応時間等の影響を補正するためには、射撃前にスコープの照準点の位置を予め調節する必要があり、照準点の位置調節はスコープを揺動させることによって行われている。
【考案の概要】
【考案が解決しようとする課題】
【０００３】
しかしながら、従来のライフル銃スコープの支持装置では、当該ライフル銃の銃身の向きとスコープの向きとが一致しているため、標的が移動する移動標的射撃の場合、その狙点は、標的の移動速度を考量して、その移動方向に予測した架空の的としなければならない。具体的には、移動標的が５０ｍ離れている場合は、標的から移動方向に１２ｃｍ先を、また、１００ｍ離れている場合には標的から移動方向に５０ｃｍ〜６０ｃｍ先を架空の的として狙わなければならず、標的をスコープで直接見ずに架空の的を想定して射撃することは、射撃の熟練者でなければ難しい。
【０００４】
また、標的が左右往復して移動する場合、銃身の向きに対する狙点の位置は、標的の移動方向により異なるので、標的の移動方向が変わる度に銃身に対してスコープの向きを変えなければならない。一般的な移動標的射撃競技では、標的が１０〜１５秒間静止した後に移動方向が変わるため、標的が静止している間にライフル銃に銃弾及び薬莢を装填し、かつ、スコープの向きを調節するのは難しく、それ故、その後に落ち着いて標的を射撃することができない。
【０００５】
本考案は、上述の事情に基づいてなされたもので、その目的とするところは、標的の移動方向に合わせてスコープの向きを容易に変更可能とし、射撃競技の熟練者でなくても容易に狙点を設定することができるライフル銃スコープの支持装置を提供することにある。
【課題を解決するための手段】
【０００６】
上述の目的を達成すべく、請求項１記載のライフルスコープの支持装置は、ライフル銃のスコープを支持するスコープ支持装置において、ライフル銃の上部に取り付けられ、上面にライフル銃の銃身に沿って延びる凹所を有した下部体と、凹所に載置され、凹所内にて基準となる支点回りに揺動可能で且つ上面にスコープが取り付けられる上部体と、凹所内に凹所の内側面に沿って移動可能に配置された移動駒であって、その移動に連動して上部体を揺動させるべく上部体と当接する当接面を有した移動駒と、移動駒を移動させる移動手段とを備え、移動手段により移動駒を移動させ、これに上部体を連動して揺動させることにより、銃身とスコープの軸線とのなす角度を可変する。
【０００７】
移動駒を凹所の内側面に沿って動かすことで、移動駒と当接する上部体が当接面に従って下部体の幅方向に変位する。すなわち、移動駒の動きに伴い上部体が下部体に対して揺動する。これにより、上部体の長手軸線は、凹所内にて基準となる支点回りに、下部体の長手軸線に対して傾き、上部体に取り付けられたスコープは、銃身の軸線に対し、所定の角度を存して傾斜する。それ故、標的が移動する場合であっても、スコープで標的を確認しつつ、その標的の移動方向に銃身を向けることができる。
【０００８】
請求項２記載のライフルスコープの支持装置によれば、上部体は、その先端部に移動駒に向けて突出し、且つ、移動駒の当接面に当接する突起部を有し、当接面は階段状をなしているので、移動駒の階段状面に対する突起部の当接位置を変更するだけで、銃身に対するスコープの傾きを簡単に変えることができ、また、標的を確認してから引き金を引くまでの反応時間等に個人差があるとしても、この個人差に合わせた階段状面を有する移動駒を使用することで、銃身の向きとスコープの向きとがなす角度を容易に所望の角度にすることができる。
【０００９】
請求項３記載のライフルスコープの支持装置によれば、当接面は、前記段間の段差に傾斜面部を有するので、階段状面の隣り合う段は傾斜面部で繋がれるとともに、突起部の先端も傾斜しているため、移動手段により移動駒を摺動させる際に、突起部は移動駒上をスムーズに移動することができ、移動標的が進行方向を変えてもスコープの位置調整を素早く行うことができる。
【考案の効果】
【００１０】
請求項１〜３記載のライフル銃のスコープ支持装置は、標的との距離や射撃技術の個人差に合わせた設定が簡単な操作ででき、かつ、標的の移動方向に対して素早くスコープの向きを変更することができる。
【図面の簡単な説明】
【００１１】
【図１】本考案に係るスコープ支持装置を介してスコープを取り付けたライフル銃の側面図。
【図２】図１中、矢視Ａ方向からみたスコープ支持装置の一部分解斜視図。
【図３】図２に示されるスコープ支持装置が第１の使用形態にあるときの凹所周辺の拡大図。
【図４】図２に示されるスコープ支持装置が第２の使用形態にあるときの凹所部周辺の拡大図。
【図５】図４に示されるスコープ支持装置の際の銃身とスコープの向きを示す概略図。
【図６】図２に示されるスコープ支持装置が第３の使用形態にあるときの凹所部周辺の拡大図。
【図７】図６に示されるスコープ支持装置の際の銃身とスコープの向きを示す概略図。
【考案を実施するための形態】
【００１２】
以下、本考案に係るスコープ支持装置について、図面を参照して説明する。
図１に示すライフル銃１は、その上部にスコープ支持装置２を介して取り付けられたスコープ４を備えている。詳しくは、スコープ支持装置２は、ライフル銃１の上部に固定され、ライフル銃１の銃身１aに沿って延びる下部体６と、その上部にスコープ４を取り付け可能な上部体１０とを有し、この上部体１０は下部体６の上面に沿って揺動可能となっている。つまり、下部体６と上部体１０とは、これらの基端部同士が垂直な軸（図示しない）を介して連結され、この軸を支点として揺動する。具体的には、上部体１０は、下部体６に対して扇状の軌跡をなして揺動する。
【００１３】
図２は、図１中、矢視Ａ方向からみたスコープ支持装置２の斜視図を示す。
下部体６の上面には凹所８が形成されており、この凹所８に上部体１０が揺動可能に載置され、上述のようにこれらの基端部同士が軸を介して連結されている。この場合、凹所８の左右の内側面９と上部体１０の左右の側面との間には隙間が形成されており、この隙間が上部体１０の摺動運動を可能にする一方、内側面９は上部体１０の幅方向への揺動を制限する。
【００１４】
上部体１０の先端部は縮幅部１２として形成され、この縮幅部１２は上部体１０の幅より狭く、かつ、上部体１０の高さより低い。縮幅部１２の左側面には、側方に向けて突出した突起部１４が形成されており、この突起部１４の先端は略４５度の傾斜面と平坦面とを有している。また、縮幅部１２の右側面は、突起部１４と反対側の部位が突起部１４とは逆方向に突出しており、この突出部位は縮幅部１２の先端面から所定の長さに亘って延びている。更に、縮幅部１２の先端面には溝状の開口部２０が形成されている。この開口部２０は縮幅部１２の幅方向に延び、その左右の側面にてそれぞれ開口している。また、開口部２０の底壁には、差込み穴２１（図３参照）が形成されており、この差込み穴２１には後述する固定ボルト２６を嵌め込み可能である。
【００１５】
下部体６の先端面には、凹所８に向けて貫通する固定ボルト孔（図示しない）が形成され、この固定ボルト孔は下部体６の長手軸線と平行に延び、上部体１０が図示の状態にあるとき、差込み穴２１と同一線上に位置付けられている。また、この固定ボルト孔を有する側の下部体６の側部には、その先端面と側部に形成された凹部のそれぞれにローレット加工されたナット２４が配置されている。そして、固定ボルト孔及びナット２４には固定ボルト２６が挿通され、この固定ボルト２６はナット２４にそれぞれねじ込まれた状態にある。固定ボルト２６の先端部は凹所８を経て縮幅部１２の開口部２０内に延び、この開口部２０の差込み穴２１に嵌合され、これにより、縮幅部１２、すなわち、上部体１０は下部体６に固定されている。
【００１６】
また、固定ボルト２６の中央にはその軸線方向に延びるピン溝２８が形成されており、一方、下部体６の上面には、上述した固定ボルト孔に連通するピン孔３１が形成されている。このピン孔３１を通じてピン３０が固定ボルト２６のピン溝２８に差し込まれることで、固定ボルト孔内での固定ボルト２６の回転を制限している。
なお、上述したナット２４は１個であってもよいが、射撃による衝撃から固定ボルト２６の締め付けが緩むのを防ぐためには、図示されているようにナット２４を２個備えているのが望ましい。
【００１７】
また、開口部２０と対向する凹所８の右内側面の部位は切り欠かれた開口域となっており、この開口域を通じて開口部２０内での固定ボルト２６の位置を確認することができるとともに、開口域は、縮幅部１２における突出部位の一部を下部体６の側方にはみ出し可能とし、上部体１０の揺動を視覚的に確認することができる。
凹所８の左内側面には調節孔２３が形成され、この調節孔２３は下部体６の左外側面に開口している。調節孔２３内にはスコープ４の向きを調節可能とするスコープ調節ボルト２２（移動手段）が下部体６の外側から挿通されている。調節孔２３は、下部体６の長手軸線方向を長円とする長円形状をなしており、この調節孔２３内において調節ボルト２２がスライド可能となっている。
【００１８】
ところで、突起部１４と対向する凹所８の左内側面１６には、この左内側面１６に沿って摺動可能な移動駒１８が配置されている。この移動駒１８は、左内側面１６との接触面にボルト孔（図示しない）が形成されており、このボルト孔に調節ボルト２２の先端が嵌合されている。
また、突起部１４と当接する移動駒１８の当接面は、下部体６の先端部に近づくにつれて左内側面からの高さ位置が高くなる階段状面３５として形成され、移動駒１８を左内側面１６に沿って摺動させることで、移動駒１８は階段状面３５に対する突起部１４の当接位置に応じて突起部１４を下部体６の右外側面に向けて押し出す。すなわち、突起部１４と移動駒１８との当接点が階段状面３５上を移動することによって、上部体１０が下部体６に対して揺動する。
【００１９】
なお、凹所８には、移動駒１８側の左内側面１６とは反対側の右内側面９と上部体１０との間にばね（図示しない）が配置されており、このばねは上部体１０の突起部１４を移動駒１８に押し付けている。
また、下部体６の左外側面にはその先端部にねじ穴３３が形成され、このねじ孔３３は縮幅部１２が載置された凹所８を覆う蓋４０の取り付けに使用される。詳しくは、蓋４０は下部体６の左外側面に宛がわれる側壁を有し、この側壁の蓋孔４４を通じてねじ穴３３に蓋止めボルト４２をねじ込ませることで、蓋４０は下部体６に固定される。このような蓋４０は、縮幅部１２を覆い凹所８内に埃等が入り込むことを防ぐとともに、上部体１０の上面と蓋４０の上面とを面一にする。
【００２０】
図３は、図２に示される凹所８周辺の拡大図であって、銃身１ａと同じ向きにスコープ４を向けた場合の第１の使用形態を示す。
第１の使用形態にあるとき、固定ボルト２６は、図３では図示されていないナット２４及び固定ボルト孔に挿通され、開口部２０の差込み穴２１に嵌め込まれている。そして、ナット２４を回転させることで、固定ボルト２６は、差込み穴２１、即ち、縮幅部１２に押し付けられている。つまり、上部体１０は、下部体６に対して固定されている。この場合、図３から明らかなように、縮幅部１２の右側面は、下部体６の右側面と一致しており、更に、上部体１０の左右の側面は、下部体６の左右の外側面それぞれと一致している。すなわち、下部体６と上部体１０それぞれの長手方向の軸線は銃身１ａの軸線ととともに同一の面内に含まれ、それ故、スコープ４の向きは銃身１ａと同じ方向を向いている。したがって、第１の使用形態にあるとき、スコープ４は固定標的の射撃に使用される。
【００２１】
なお、この場合、上部体１０の揺動は、固定ボルト２６が差込み穴２１に嵌合されていることにより制限されているため、移動駒１８により突起部１４の位置を規定する必要はなく、それ故、突起部１４は移動駒１８に接していなくてもよい。
次に、調節ボルト２２を介して移動駒１８をスライドさせ、スコープ４の向きを変えた第２の使用形態及び第３の使用形態について図４〜図７を参照して説明する。
【００２２】
図４もまた、図２に示される凹所８周辺の拡大図であって、銃身１ａに対してスコープ４を左に向けた第２の使用形態を示す。
図３に示す使用形態から、図３では図示されていないナット２４を回転させることで、固定ボルト２６を上部体１０の開口部２０及び差込み穴２１から抜き出し、固定ボルト２６による上部体１０の固定を解除し、突起部１４と移動駒１８とが互いに移動できるようにする。そして、調節ボルト２２を操作し、移動駒１８を凹所８の左内側面１６に沿い、図３でみて上方向に摺動させる。
【００２３】
移動駒１８の階段状面３５は段３５ａ、３５ｂ、３５ｃを有しており、突起部１４は段３５ａに当接している。この場合、上部体１０は、前述したばねにより移動駒１８に向かって押し付けられている。すなわち、上部体１０の突起部１４は移動駒１８に押し付けられるとともに、一方、上部体１０、即ち、その縮幅部１２は差込み穴２１から引き抜いた固定ボルト２６を開口部２０の底壁に押し付けることで固定されている。
【００２４】
移動駒１８と突起部１４とが図４に示す状態にあるとき、上部体１０の左外側面は下部体６の左外側面９ａからはみ出しており、上部体１０の長手軸線と下部体６の長手軸線は所定の角度をなし、前述の軸の軸芯にて交差してしいる角度をなしている。すなわち、上部体１０の長手軸線は、下部体６の長手軸線に対して左側を向いている。この時、突起部１４と移動駒１８との当接を確実なものとするため、段３５ａと段３５ｂとを結ぶ傾斜面部３７ａに突起部１４の傾斜部が接していることが望ましい。
【００２５】
図５は、図４に示される第２の使用形態にあるときの銃身１ａとスコープ４とのそれぞれの向きと、移動する標的５０とを示した図である。
移動標的５０は、図５で見て左から右に動いており、この場合、銃身１ａを向けるべき狙点Ｔ１は、移動標的５０の右側になる。移動駒１８と突起部１４とが、図４に示される状態にあるとき、前述のように上部体１０の長手軸線の向きは、前述の軸芯Ｂを支点として下部体６の長手軸線に対して左側に傾いており、それ故、スコープ４の向きは銃身１ａの向きに対して左に傾いている。
【００２６】
図６もまた、図２に示される凹所８の周辺の拡大図であって、銃身１ａに対してスコープ４を右に向けた第３の使用形態を示す。
図４に示された状態から、図４では図示されてないナット２４を回転させることで、固定ボルト２６を上部体１０の開口部２０から抜け出す方向に移動させ、固定ボルト２６による上部体１０の固定を解除し、突起部１４と移動駒１８とが互いに移動できるようにする。そして、調節ボルト２２を操作し、移動駒１８を凹所８の左内側面１６に沿い、図４でみて下方向に摺動させる。この時、突起部１４は、傾斜面部３７ｂを経て段３５ｂに相対的に移動し、その傾斜部が傾斜面部３７ｂと接して止まる。この際、上部体１０は前述したばねの付勢力に抗しながら、図４でみて右方に揺動し、図６に示す状態となる。この後、固定ボルト２６を開口部２０の差込み穴２１の底壁に押し当てて上部体１０を固定する。
【００２７】
移動駒１８と突起部１４とが図６に示す状態にあるとき、上部体１０の右外側面は下部体６の右外側面９ｂからはみ出しており、上部体１０の長手軸線は下部体６の長手軸線に対して、図４での場合とは逆向きに所定の角度をなして傾斜する。なお、この時にも、突起部１４の傾斜部が移動駒１８の傾斜面部３７ｂに接しているため、これら突起部１４と移動駒１８との当接は確実なものとなっている。
【００２８】
図７は、図６に示される場合の銃身１ａとスコープ４とのそれぞれの向きと、移動する標的５０とを示した図である。
移動標的５０は、図７で見て右から左に動いており、この場合、銃身１ａを向けるべき狙点Ｔ２は、移動標的５０の左側になる。移動駒１８と突起部１４とが、図６に示される状態にあるとき、前述のように上部体１０の長手軸線は、前述した軸の軸芯Ｂを支点として、下部体６の長手軸線に対して右側に傾いており、それ故、スコープ４の向きは銃身１ａの向きに対して右に傾いている。
【００２９】
このように、移動駒１８を凹所８の左内側面１６に沿って動かすことで、移動駒１８と当接する突起部１６が階段状面３５の形状に従って下部体６の幅方向に変位する。すなわち、移動駒１８の動きに伴い上部体１０が下部体６に対して揺動する。これにより、上部体１０の長手軸線は、前述した軸の軸芯Ｂを支点として、下部体６の長手軸線に対して傾き、上部体１０に取り付けられたスコープ４は、銃身１ａの軸線に対し、所定の角度を存して傾斜する。それ故、標的が移動する場合であっても、スコープ４で標的を確認しつつ、その標的の移動方向に銃身１ａを向けることができる。
【００３０】
また、移動駒１８の階段状面３５に対する突起部１４の当接位置を変更するだけで、銃身１ａに対するスコープ４の傾きを簡単に変えることができ、また、標的を確認してから引き金を引くまでの反応時間等に個人差があるとしても、この個人差に合わせた階段状面３５を有する移動駒１８を使用することで、銃身１ａの向きとスコープ４の向きとがなす角度を容易に所望の角度にすることができる。
【００３１】
更に、階段状面３５の隣り合う段は傾斜面部３７で繋がれるとともに、突起部１４の先端も傾斜しているため、調節ボルト２２により移動駒１８を摺動させる際に、突起部１４は移動駒１８上をスムーズに移動することができ、移動標的５０が進行方向を変えてもスコープ４の位置調整を素早く行うことができる。
以上で本考案の一実施形態についての説明を終えるが、本考案は上記実施形態に限定されるものではなく、本考案の実施形態を逸脱しない範囲で種々の変更ができるものである。
【００３２】
例えば、上記実施例では、下部体６の先端側に移動駒１８を配置し、上部体１０をその基端側の支点回りに揺動させているが、下部体６の基端側に移動駒１８を配置し、上部体１０をその先端側の支点回りに揺動させてもよい。
また、突起部１４が当接する移動駒１８の面は、階段状面３５に限らず、連続した傾斜面であってもよく、移動駒１８の移動に連動して上部体１０が下部体６に対して円滑且つ容易に揺動できるものであればよい。
【００３３】
また、階段状面３５は、内側面１６からの高さが先端部から基端部に向かって高くなる形状であってもよい。
【符号の説明】
【００３４】
１  ライフル銃
２  スコープ支持装置
４  スコープ
６  下部体
８  凹所
９ａ、９ｂ  内側面
１０  上部体
１２  縮幅部
１４  突起部
１６  内側面
１８  移動駒
２０  開口部
２１  差込み穴
２２  スコープ調節ボルト（移動手段）
２３  調節孔
２４  ナット
２６  固定ボルト
２８  ピン溝
３０  ピン
３１  ピン孔
３３  取り付け孔
３５  階段状面（当接面）
３５ａ、３５ｂ  段
３７ａ、３７ｂ  傾斜面部
４０  蓋
４２  蓋止めボルト
４４  蓋孔
５０  移動標的
Ｔ  狙点
【図１】
0003151908.tif 000003
【図２】
0003151908.tif 000004
【図３】
0003151908.tif 000005
【図４】
0003151908.tif 000006
【図５】
0003151908.tif 000007
【図６】
0003151908.tif 000008
【図７】
0003151908.tif 000009